Podtech/llm-jp-corpus-v4-ja_patent huggingface dataset:
(57)【要約】      （修正有）【課題】水彩セット筆洗の小型化を実現すると共に持ち運びも簡便とする。筆洗として多い水量を確保し、筆洗即水彩セットとすることにより袋を不要とし価格を抑える。【解決手段】筆洗を使用するときには仕切板を移動させ仕切り、絵の具、パレット、画筆の容器とするときは、仕切板を移動させ容器を拡げる。筆洗に蓋をすることにより自由に持ち運べ、紐を肩かけにしたり、手提げにしたり伸縮可能とする。仕切っても水量を減少させないよう仕切板を薄くする。【選択図】図１
2005145036.tif 000002
【特許請求の範囲】
【請求項１】
水彩セット筆洗の仕切板を、動く機構にしたことを特徴とした、水彩セット筆洗。
【請求項２】
水彩セット筆洗の蓋を着脱機構（１図）とし、４図の蓋のように、細長く割った形で開閉機構としたことを、それぞれ特徴とした請求項１記載の水彩セット筆洗。
【発明の詳細な説明】
【技術分野】  本発明は、水彩セット筆洗に関するものである。
【背景技術】  小学校教室における生徒個人にあたへられた棚のスペースの狭小さを、少しでも緩和するため水彩セット筆洗の小型化が望まれていた。
従来の水彩セット筆洗が大型化した最大の原因は、筆洗の仕切りが固定化し筆洗を縦に仕切り、長い筆洗のほうに絵の具、パレット、画筆等を収納し、片側の３個に仕切れた水槽は水量が少ししか入らない、しかも把握する把手の部分が表面にあり、普段は中央に収納される構造であるため、中央部分の水槽が更に圧縮される構造になっている、携行したり棚に収納するに不便であった。
従来の大型化した筆洗の割に水量が半分ぐらいしか入らない欠点を改良し発明したのが、動く仕切板である、１図に示した柔らかい半月状をした構造を３方に設け、両側面と底面に装着すれば完全に水槽を仕切ることが可能である、更に好みの位置に仕切ることが好都合である、仕切板は水槽の内面形状に合わせテーパーにするのが好もしい。
２図に示した仕切板は、回転部分にスリットを設け、対面と底面に設けたストッパーで止まり水槽を仕切り、筆洗として使用しないときは、絵の具、パレット、画筆等を収納するために、仕切板を側面に添わせ止め具にて止める。
３図は底面に設けた仕切板を、垂直方向に動かし水槽を仕切る、４図、５図は両側面と底面に設けた凹部に仕切板を装着した図である。
【発明の開示】
【発明が解決しようとする課題】  筆洗を大きくするために入れる袋を作り、形状や彩りを競いあうのみで、真の意味での発明品が久しく影を潜めていた、この分野に開示への一石となれば幸いである。
水彩セット筆洗の必要以上の大型化、それも空間が多いためである、それに反しこの発明は筆洗を小さくまとめ、筆洗即水彩セットとすると、袋が不要となり単価低廉への道を開く。
【課題を解決するための課題】
筆洗に何十年も君臨してきた固定式仕切具を取り除き、動く仕切板で容器を一杯に拡げ、筆洗に絵の具、パレット画筆その他必要品を収納し、筆洗にするときは動かして仕切る機能は簡単にして最も的を射た発想である。
【発明の効果】
、水彩セット筆洗の小型化が実現し、持ち運ぶにも簡便で棚等に収納するにも狭い場所に納まり、筆洗とし水量が多く入れられ、蓋をするので単体で使用されケースが不要となる、又蓋は内側が溶き皿として使用される、それ故低価格が期待できる。
【発明実施するための最良の形態】
筆洗を使用するときには仕切板を移動させ仕切り、絵の具、パレット、画筆の容器とするときは、仕切板を移動させ容器を拡げ、筆洗に蓋をすることにより自由に持ち運べ、紐が肩かけにしたり、手提げにしたり伸縮可能とし仕切板が好みの位置に設置するのは定位置に縛られず特に最良の形態と思考する。
凹部（２０）を水槽内両内面と底部に全面的に設けておけば、仕切板を好みの位置に設置することが可能である。
【実施例】  この発明の最重要点は動く仕切板にある、仕切板を動かすことにより、今迄使いにくかった筆洗の水槽を仕切って水槽とし、仕切板を動かし移動させ筆洗を拡くして、絵の具、パレット、画筆の収納用にし、仕切板が薄いので仕切っても水量を減少させるには至らず、容器の小さい割に全体が水槽となり水量が多い、又蓋を付けることにより  更にケースに入れずに使用され簡便で重宝である。
【図面の簡単な説明】
【図１】  筆洗。  着脱機構の蓋。  半月状の押さえのある仕切板着脱型。
【図２】  筆洗。  着脱機構のある蓋。  側面より横に動く仕切板。
【図３】  筆洗。  着脱機構のある蓋。  底面より垂直方向に動く仕切板。
【図４】  筆洗。  蓋が縦長に両方に開く型。  着脱型仕切板。
【図５】  筆洗。  スライド方式の蓋。  着脱型仕切板。
【符号の説明】
【１】  筆洗
【２】  蓋（着脱機構あり）
【３】  蓋（２コに割った形ち）
【４】  蓋（スライド機構）
【５】  仕切板（横より直角方向に回動する）
【６】  仕切板（底面より垂直方向に回動する）
【７】  仕切板（差し込み型）
【８】  仕切板（柔らかい三ケ月型）
【９】  携帯用紐付け具
【１０】喚気口（用具を収納したとき湿気抜き、重ねたとき上の突起が入る
【１１】スリット
【１２】喚気口
【１３】筆おき
【１４】蓋止め具
【１５】筆洗の底にある連結具、１０，１２，に入る
【１６】ストッパー（筆洗を重ねたとき）
【１７】蓋止め具
【１８】絵の具溶きざら
【１９】手提げ具
【２０】仕切板を差し込む凹部
【２１】肩かけ紐
【２２】リブ
【図１】
2005145036.tif 000003
【図２】
2005145036.tif 000004
【図３】
2005145036.tif 000005
【図４】
2005145036.tif 000006
【図５】
2005145036.tif 000007
(57)【要約】      （修正有）【課題】両刃鋸の切断効果を高める為、鋸身の表面研磨により首部手前辺りは使用する板厚の状態として、先方へ徐々に板厚を薄く研磨し鋸身先端辺りは薄刃となる鋸身の表面研磨を、機械化による板厚スライド研磨加工し、両刃とも厚みを一定にして、切断力を高めたアサリ無し目立て加工を施す両刃鋸を提供する。【解決手段】両刃鋸１の鋸身２において、その長手方向となる両表面を、後部の首部手前辺り３は使用する板厚の状態として、先方へ徐々に板厚を薄く研磨し鋸身先端辺り５は薄刃の状態となる板厚スライド研磨加工７を機械化で行い、その鋸身の長手方向である一側に横挽き刃８と、他側に縦挽き刃９を設け、その両刃とも刃の厚みを一定にし、アサリなし目立て加工１０をした手段を講ずる。【選択図】図１
2005145033.tif 000002
【特許請求の範囲】
【請求項１】
両刃鋸の鋸身において、その長手方向となる両表面を、後部の首部手前辺りは使用する板厚の状態として、先方へ徐々に板厚を薄く研磨し鋸身先端辺りは薄刃の状態となる板厚スライド研磨加工を機械化で行い、その鋸身の長手方向である一側に横挽き刃と、他側に縦挽き刃を設け、その両刃とも刃の厚みを一定にし、アサリなし目立て加工をしたことを特徴とする板厚スライド研磨とアサリなし目立てをした両刃鋸。
【請求項２】
前記板厚スライド研磨加工の機械化により、鋸身表面での均等で正確な研磨が可能として、鋸身の撓りがよく刃振れが少なく正確な切断と、アサリ無し目立てにより切断時における鋸刃の抵抗を無くし、同時に木屑も排除して、切断速度の向上と美しい切断面となる請求項１記載の板厚スライド研磨とアサリなし目立てをした両刃鋸。
【発明の詳細な説明】
【技術分野】
【０００１】    本発明は、板厚スライド研磨とアサリなし目立てをした両刃鋸に関する。
【発明の開示】
【発明が解決しようとする課題】
【０００２】    従来から、両刃鋸の切断時の振れなどを抑える効果として、鋸身の表面研磨により首部手前辺りは使用する板厚の状態として、先方へ徐々に板厚を薄く研磨し鋸身先端辺りは薄刃の状態としていたが、高度な研磨加工作業が必要となり、手作業での研磨加工でしか出来ない問題があった。【０００３】    本発明は、両刃鋸の切断効果を高める為、鋸身の表面研磨により首部手前辺りは使用する板厚の状態として、先方へ徐々に板厚を薄く研磨し鋸身先端辺りは薄刃となる鋸身の表面研磨を、機械化による板厚スライド研磨と、両刃とも刃の厚みを一定にし、切断力を高めたアサリ無し目立てをした両刃鋸の提供を目的とするものである。
【課題を解決するための手段】
【０００４】    前記の課題を達成するため、両刃鋸の鋸身において、その長手方向となる両表面を、後部の首部手前辺りは使用する板厚の状態として、先方へ徐々に板厚を薄く研磨し鋸身先端辺りは薄刃の状態となる板厚スライド研磨加工を機械化で行い、その鋸身の長手方向である一側に横挽き刃と、他側に縦挽き刃を設け、その両刃とも刃の厚みを一定にし、アサリなし目立て加工をした手段を講ずる。【０００５】    また、板厚スライド研磨加工の機械化により、鋸身表面での均等で正確な研磨が可能として、鋸身の撓りがよく刃振れが少なく正確な切断と、アサリ無し目立てにより切断時における鋸刃の抵抗を無くし、同時に木屑も排除して、切断速度の向上と美しい切断面となることが好ましい。
【発明の効果】
【０００６】    本発明の板厚スライド研磨とアサリなし目立てを施した両刃鋸は、切断時の前後作動による振れの吸収切断効果を高める為、鋸身の表面研磨により首部手前辺りは使用する板厚の状態として、先方へ徐々に板厚を薄く研磨し鋸身先端辺りは薄刃となる鋸身の表面研磨を、これまで高度の技術を要し機械研磨が出来なかった板厚スライド研磨加工と、その両刃とも刃の厚みを一定にし、切断力を高めたアサリ無し目立て加工にしたものである。
【発明を実施するための最良の形態】
【実施例】
【０００７】    図１に示す実施例では、両刃鋸１の鋸身２において、その長手方向となる両表面で、後部の首部手前辺り３は使用する板厚の状態４として、先方へ徐々に板厚を薄く研磨し鋸身先端辺り５は薄刃の状態６となる板厚スライド研磨加工７を機械研磨で行い、その鋸身２の長手方向である一側に横挽き刃８と、他側に縦挽き刃９を設け、その両刃とも刃の厚みを一定にし、アサリなし目立て加工１０にしている。【０００８】    また、板厚スライド研磨加工７を機械研磨で行うことで、鋸身２表面での均等で正確な研磨が可能として、鋸身２の撓りがよく刃振れが少なく正確な切断と、アサリ無し目立て加工１０で切断時における鋸刃の抵抗を無くし、同時に木屑も排除して、切断速度の向上と美しい切断面となるようにしている。
【図面の簡単な説明】
【０００９】
【図１】    本発明の実施例を示す側面図である。
【符号の説明】
１  両刃鋸
２  鋸身
３  首部手前辺り
４  使用する板厚の状態
５  鋸身先端辺り
６  薄刃の状態
７  板厚スライド研磨加工
８  横挽き刃
９  縦挽き刃
１０  アサリなし目立て加工
【図１】
2005145033.tif 000003
(57)【要約】      （修正有）【課題】個人の体の水分を用いて温泉効果を体感できるようにしたペンダントの提供。【解決手段】セラミック（磁器）のペンダント中央部分のくぼみに釉薬に混ぜた極微量（マイクロ・シーベルト）の天然ウランを高温で焼きつけて、その釉薬部分を表ではなく自分の体に向けてつける。【選択図】図２
2005145806.tif 000002
【特許請求の範囲】
【請求項１】
セラミック（磁器）のペンダント中央部分のくぼみに釉薬に混ぜた極微量（マイクロ・シーベルト）の天然ウランを高温で焼きつけて、その釉薬部分を表ではなく自分の体に向けてつける。
このセラミックは硬くまた極細かい磁器で出来ており裏側からは自然界の空気中の放射線と同レベルしか検知されない。
【発明の詳細な説明】
［技術分野］
【０００１】  この発明はペンダントの中央に極微量の天然ウラン鉱を粉末にして釉薬で固めた物である．  この極微量のウランからでる天然の放射線を用いて，温泉効果，又はホルミシス効果を体感できる．
［背景技術］
【０００２】  首に掛けるペンダントは数知れない，このペンダントは釉薬がついている部分を自分の体に向けてつけることであり、オシャレ用のものとは違う。逆の発想である．
［発明の開示］
［発明が解決しようとする課題］
【０００３】  このペンダントはオシャレと美しさを表現するのではなく，自分の体の内面を体感させる物である。
［課題を解決するための手段］
【０００４】    これは人々が温泉に行き疲れた体を癒すように，その温泉効果を個人の体の水分を用いて温泉効果を体感できる。
［発明の効果］
【０００５】  これを使用することにより，温泉に行かなくても家庭で体感でき，又時間の節約にもなる。
【図１】
2005145806.tif 000003
【図２】
2005145806.tif 000004
【図３】
2005145806.tif 000005
【手続補正書】
【提出日】平成16年2月26日(2004.2.26)
【手続補正１】
【補正対象書類名】明細書
【補正対象項目名】全文
【補正方法】変更
【補正の内容】
【発明の詳細な説明】
【技術分野】
【０００１】  この発明は成型装飾体磁器の窪みの中央に極微量の天然ウラン鉱を粉末にして釉薬で固め乾燥させ炉で焼き上げた物である。この極微量のウランからでる天然の放射線を用いて，温泉効果，又はホルミシス効果を体感できる。
【背景技術】
【０００２】  首に掛けるペンダントは数知れない，このペンダントは釉薬がついている部分を自分の体に向けてつけることであり、オシャレ用のものとは違い逆の発想である。
【発明の開示】
【発明が解決しようとする課題】
【０００３】  このペンダントはオシャレと美しさを表現するのではなく，自分の体の内面を装飾体の窪みから出る極微量な放射線が体内の細胞その他にホルミシス効果並びに温泉効果を体感させる物である。
【課題を解決するための手段】
【０００４】  これは人々が温泉に行き疲れた体を癒すように，その温泉効果を個人の体の水分を用いて温泉効果を体感できる。
【発明の効果】
【０００５】  これを使用することにより，温泉に行かなくても家庭で体感でき，又時間の節約にもなる。
【図面の簡単な説明】
【０００６】
【図１】本発明に係わるペンダントの背面図である。
【図２】本発明に係わるペンダントの実施形態を示す背面図である。
【図３】本発明に係わるペンダントの使用形態を示す側面図である。
【符号の説明】
【０００７】  １  ペンダント
２  窪み
３  ウラン鉱と釉薬の混合物
(57)【要約】 【課題】電装品の再設定をする必要のない無瞬断車輌用コードを提供する。  【解決手段】車載バッテリーを交換する際に車輌のシガライターソケットに接続できる、シガライター型プラグと、交換中の過電流による事故を防ぐための過電流防止ブレカーと、電力を確認するためのパイロットランプと、車輌に電力を一時的に供給するための他車載用シガライター型プラグを有し、車載バッテリー交換時に他車載バッテリーよりシガライタープラグを通じて車輌に電力を供給することにより、電力が瞬断することなくバッテリー交換を行うことができる車輌用コード。【選択図】          図1
2005145380.tif 000002
【特許請求の範囲】
【請求項１】
車載用のバッテリーを交換する際に、車輌のシガライターソケットに接続できる、シガライター型プラグと、過電流による事故を防ぐための、過電流防止用ブレカーと、車輌の電力を確認するランプを有し、他車載のバッテリーより、シガーライタープラグ同士を通じて車輌に電力を供給する事により、電力が瞬断することなくバッテリーの交換を行うことができることを特徴とする車輌用バッテリー取替えコード。
【発明の詳細な説明】
【技術分野】
【０００１】
本発明は、電源を切らずに無瞬断でバッテリーの交換ができ、ラジオ、カーナビゲーション等の電装品の記憶を保持し、同時に、２台の車載バッテリーを、簡単に交換を行うことができる、バッテリー取替えコードに関する。
【背景技術】
【０００２】
車載バッテリーを交換する場合、（１）エンジンキーを抜きます。（2）マイナス側のケーブルを外し、次にプラス側のケーブルを外します。（3）バッテリーの取付け金具をゆるめます。（4）古いバッテリーを取り外し、取付け台とケーブルターミナルを清掃します。（５）新しいバッテリーの概観に異常がないか、型式や極性が正しいかをチェックします。（６）新しいバッテリーを取付け台にセットし、取付け金具をしっかりと締め付けます。（７）プラス側のケーブルを取付け、次にマイナス側を取り付けます。（８）バッテリーのターミナル部分にさび止めグリースを塗布し、端子カバーを取り付るバッテリー交換については例えば特許文献１，２に開示されている。
【特許文献１】特開平５−３０６０７号公報
【特許文献２】特開平２００３−９２８０６号公報
【発明の開示】
【発明が解決しようとする課題】
【０００３】
車載バッテリーを交換する場合において、旧バッテリーを取り外し、新しい
バッテリーを取り付ける間、まつたく電源がない状態が発生していた。その為に電源がない状態が発生し、ラジオ、カーナビゲーション等の電装品の設定が解除され煩わしい初期設定を再度しなければならないという問題点を抱えていた。
【０００４】
そこで、本発明はラジオ、カーナビゲーション等の電装品の再設定をする必要のない車輌用無瞬断バッテリー取替えコードを提供する事を目的とする。
【０００５】
本発明の車輌用無瞬断バッテリー取替えコードは、他車載バッテリーと車載
シガライターソケットに接続することができるシガライタープラグを有し、車載バッテリーを交換する際に車輌から取り外しても、他車載バッテリーからシガライターソケット同士を通じて電力を供給し、瞬断をなくすことにより前期
課題を解決しようとするものである。
【発明の効果】
【０００６】
本発明の車輌用無瞬断バッテリー取替えコードを使用すれば、車輌のシガライターソケットに接続するだけで、電源を切らずに無瞬断で、２台の車載バッテリーの交換ができ、著しく作業効率向上に貢献する効果が得られる。
【発明を実施するための最良の形態】
【０００７】
本発明は、車載用のバッテリーを交換する際に、車輌のシガライターソケットに接続できる、シガライター型プラグと交換中の過電流による事故を防ぐための過電流用ブレカーと、電力が確認できるランプを有し、車載バッテリー交換時に他車載バッテリーより、シガライタープラグ同士を通じて車輌に電力を供給することにより、電力が瞬断することなく、交換できる作用を有する。
【実施例】
【０００８】
以下、本発明の実施の形態について図を用いて説明する。
図1は本発明の車輌用コードの図である。図1において、1は車輌のシガライターソケットに接続できるシガライタープラグ、2はプラグを接続するコード、3は車載の電力を確認するパイロットランプ、4は車輌間に異常な電流がながれたときに、接続を開放するブレーカー  、1シガライタープラグを車載のシガライターソケットに差込、3のパイロットランプで、点灯することにより、電力の確認をする。別のシガライタープラグを他車載のソケットに差込、3のパイロットランプの点灯を確認する。2個のパイロットランプが点灯した事を確認する。
4のブレカーを投入する事により、他車載バッテリーと車載バッテリーが並列に
接続される。この時車載バッテリーを取り外しても、他車載バッテリーより電力が供給され、ラジオやカーナビゲーション等の電装品に記憶されている設定が保持されることになる。作業中、もし、何らかの不具合が発生し、異常な電流が流れた場合はブレーカーが直ちに接続を開放する。
【産業上の利用可能性】
【０００９】
本発明は無瞬断でバッテリーの交換ができ、電装品の記憶を保持しながら車載バッテリーの交換を行うことができる車輌用コードに利用できる。
【図面の簡単な説明】
【００１０】
【図１】車輌用コードを示す図である。
【符号の説明】
【００１１】
1  シガライターソケット用プラグ
2  電線コード
3  パイロットランプ
4  ブレーカー
5  ケース
【図１】
2005145380.tif 000003
(57)【要約】【課題】  自動車のボディとドアとの間をシールするウエザーストリップに湾曲部に追従する柔軟性を持たせしわ発生を少なくする。【解決手段】  熱可塑性エラストマー１の中空状シール部１６をスポンジ２とし、この被膜１７として硬度をＪＩＳ  Ａ  ５〜４０かつ伸びを２００％以上にしたスチレン系熱可塑性エラストマーソリッドを使用した。こうすることによって十分な柔軟性を具備したウエザーストリップになるシールを提供できる。【選択図】  図３ 
2005145382.tif 000002
【特許請求の範囲】
【請求項１】
熱可塑性エラストマー組成物（１）の中空状シール部（１６）をスポンジ（２）とし、そのスポンジ（２）の被膜（１７）として硬度をＪＩＳＡ  ５〜４０かつ伸びを２００％以上にした熱可塑性エラストマー組成物製ソリッド（６）を使用したことを特徴とする自動車用ウエザーストリップ。
【請求項２】
熱可塑性エラストマー組成物製ソリッド（６）がスチレン系熱可塑性エラストマー（ＴＰＳ）であることを特徴とする請求項１に記載の自動車用ウエザーストリップ。
【発明の詳細な説明】
【技術分野】
【０００１】
本発明は自動車のボディとドアとの間をシールするウエザーストリップに関するものである。
【背景技術】
【０００２】
図１及び図２を参考にして説明する。熱可塑性エラストマー組成物（以下，ＴＰＥと称す）の押出成形によるＴＰＥスポンジ２を具備する自動車用ウエザーストリップ１１において、スポンジ２表面の耐摩耗性を向上させる目的でスポンジ２表面には塗装処理５が一般的には施される。
【０００３】
工程の簡略化及び揮発性有機化合物（Ｖｏｌａｔｉｌｅ  Ｏｒｇａｎｉｃ  Ｃｏｍｐｏｕｎｄｓ；ＶＯＣ）対応並びに製造コストの安廉化を図る手段として、塗装処理５の代替として、スポンジ２表面をソリッドで被覆する共押出が提案されている。
【０００４】
当該被覆に用いるソリッド材の硬度がスポンジ２の硬度よりも高いと、スポンジ２の柔軟性が阻害され、シール性が著しく低下することがわかっている。従来の問題は、提案されているＴＰＥ共押出工法では、スポンジ２表面へ被覆するソリッド材の硬度が高いと、シール部２ａの柔軟性が失われてしまうことである。
【発明の開示】
【発明が解決しようとする課題】
【０００５】
スポンジ２の表面へ被覆するソリッド６の硬度が高いとシール部２ａの柔軟性が失われることである。
【課題を解決するための手段】
【０００６】
本発明は、被覆材料の硬度を限定することによって、共押出工法によるＴＰＥスポンジ２表面にソリッド６被覆を有する（発泡）押出成形体において、十分な柔軟性を具備したシールを提供することを見いだしたものである。
【０００７】
請求項１の発明に係る自動車用ウエザーストリップ１１は、熱可塑性エラストマー組成物１の中空状シール部１６をスポンジ２とし、そのスポンジ２の被膜１７として硬度をＪＩＳＡ  ５〜４０かつ伸びを２００％以上にした熱可塑性エラストマー組成物ソリッド６を使用したものである。
【０００８】
請求項２の発明に係る自動車用ウエザーストリップ１１は、請求項１の発明において、熱可塑性エラストマー組成物ソリッド６がスチレン系であることを特徴とするものである。
【０００９】
スポンジの被膜の硬度がＪＩＳＡ５未満であると耐摩耗性が不足し、ＪＩＳＡ４０超えると柔軟性が不足し、Ｒ追従性等が悪化する。伸び２００未満であると柔軟性が不足し、Ｒ追従性等が悪化する。
【発明の効果】
【００１０】
本発明によれば、塗共押出工法によるＴＰＥスポンジ表面にソリッド被覆を有する（発泡）押出成形体において、十分な柔軟性を具備したシールを提供できる。
【発明を実施するための最良の形態】
【００１１】
図１及び図３において２０は自動車ボディの乗降口周縁のフランジ部、２１は天井の内張材、３０はドア、１１はウエザーストリップである。１２はウエルト部、１３は芯金、１４は爪部、１６は中空シール部、１７は被膜である。１は熱可塑性エラストマー組成物、２は熱可塑性エラストマースポンジ、２ａはシール部、６はソリッドである。
【００１２】
本発明に適用可能な熱可塑性エラストマー組成物スポンジは、
オレフィン系熱可塑性エラストマー（ＴＰＯ）
スチレン系熱可塑性エラストマー（ＴＰＳ）
ウレタン系熱可塑性エラストマー（ＴＰＵ）
エステル系熱可塑性エラストマー（ＴＰＥＥ）
等が挙げられ、中でもＴＰＯとＴＰＳが材料コストが安廉価であること並びに耐熱・耐候性の点から好ましい。
【００１３】
また、本発明に適用可能な熱可塑性エラストマー組成物ソリッド（被膜）は、
スチレン系熱可塑性エラストマー（ＴＰＳ）
オレフィン系熱可塑性エラストマー（ＴＰＯ）
ウレタン系熱可塑性エラストマー（ＴＰＵ）
エステル系熱可塑性エラストマー（ＴＰＥＥ）
等が挙げられ、中でもＴＰＳとＴＰＯが、材料コストが安廉価であること並びに耐熱・耐候性の点から好ましい。
【００１４】
適用可能な材質の一例として、実施例１中にリケンテクノス製  アクティマー  ＡＥ−２０２０ＳとＡＥ−２０４０Ｓ（いずれもスチレン系熱可塑性エラストマー）を例示するが、クラレプラスチック製  セプトンコンパウンド  ＣＥ００１（硬さ４０°  伸び９４０％），ＣＪ１０２（硬さ４０°  伸び８１０％），ＣＪ１０３（硬さ１５°  伸び１１００％）（いずれもスチレン系熱可塑性エラストマー）も適用が可能である。
【００１５】
被膜の厚さについては０．１ｍｍ〜０．５ｍｍが好ましい。０．１ｍｍ未満であると被膜が摩耗によりはがれやすくなり、０．５ｍｍを超えるとコスト高になる。
【実施例１】
【００１６】
図４に示す試験品を図５に示す如く半径Ｒで湾曲させ、湾曲度進従性を比較検討した結果を表１に示す。  
【００１７】
【表１】
2005145382.tif 000003
【００１８】
表１に示すように本発明によれば、塗共押出工法によるＴＰＥスポンジ表面にソリッド被覆を有する（発泡）押出成形体において、十分な柔軟性を具備したシールを提供できる。
【図面の簡単な説明】
【００１９】
【図１】自動車の側面図である。
【図２】従来例を示す図１のＡ−Ａ断面図である。
【図３】本発明の一例を示す図１のＡ−Ａ断面図である。
【図４】試験品の断面図である。
【図５】試験方法を示す正面図である。
【符号の説明】
【００２０】
１      熱可塑性エラストマー組成物
２      ＴＰＥスポンジ
２ａ    シール部
５      塗装処理
６      ソリッド
１１    ウエザーストリップ
１２    ウエルト部
１３    芯金
１４    爪部
（１５  内装リップ）
１６    中空状シール部
１７    被膜
２０    自動車のボディのフランジ部
２１    内張材
３０    ドア
【図１】
2005145382.tif 000004
【図２】
2005145382.tif 000005
【図３】
2005145382.tif 000006
【図４】
2005145382.tif 000007
【図５】
2005145382.tif 000008
(57)【要約】      （修正有）【課題】ねじ込み分離式の構造をもつボトルキャップ開栓時の保持および保管に関して、ボトル本体とボトルキャップを着脱可能にする。【解決手段】ボトル本体部にクリップ状部を設け、ボトルキャップ端部を設け、それらを結合させることによってボトル本体とキャップを着脱可能とした構造。【効果】開栓と閉栓を繰り返す手間が大幅に軽減され、ボトルキャップの置き場所を探す必要がなくなり、衛生的に保て、かつ紛失の心配もなくなる。【選択図】図２
2005145555.tif 000002
【特許請求の範囲】
【請求項１】
ねじ込み分離式の開栓構造をもつボトル本体にクリップ状の部分（１）を設け、そこにボトルキャップ（２）の部分を結合させる方式によってボトル本体からボトルキャップを着脱可能とした装置
【発明の詳細な説明】
【技術分野】
【０００１】  この発明は、ねじ込み分離式の開栓構造を持つボトルキャップの、開栓時におけるボトル本体への確実な着脱と衛生的な保管、紛失防止を可能にする装置および方式に関するものである。
【背景技術】
【０００２】  従来のねじ込み分離式ボトルキャップでは、開栓時のキャップの保持および保管に於ける一般的な取り扱いとして、再度閉栓するまで手に持ち続けるか、ボトル本体から離れた場所に置いていた。
【発明の開示】
【発明が解決しようとする課題】
【０００３】これには次のような問題があった。
イ．内容物を飲用又は使用するたび、開栓と閉栓を頻繁に繰り返す手間が煩わしかった。
ロ．しばらく開栓状態を保つには、ボトルキャップを別の場所へ保管しておく煩わしさがあった。
ハ．内容物が飲用または食用の場合、屋外使用に際して、ボトルキャップをボトル本体から離して置くとき、衛生的に問題がある場所を避けて、置き場を選ばなければならなかった。
ニ．ボトルキャップ自体が小さく、紛失する恐れがある。
本発明は、以上の欠点を解決するためになされたものである。
【課題を解決するための手段】
【０００４】  ボトル本体部にクリップ状の部分（１）を設け、そこにボトルキャップ（２）の部分を結合させる方式によってボトルキャップとボトル本体を着脱可能とした装置
【発明の効果】
【０００５】  本発明を使用することによって、ねじ込み分離式のボトルキャップ開栓時の保持および保管に関して、ボトル本体とボトルキャップを結合させ着脱可能にすることにより、開栓と閉栓を繰り返す手間が大幅に軽減され、ボトルキャップの置き場所を探す必要がなくなり、衛生的に保て、かつ紛失の心配もなくなる。
【発明を実施するための最良の形態】
【０００６】  ペットボトル本体からボトルキャップを外した際に分離して本体に残るリング状の部分またはその周辺にクリップ状の部分（１）を設ける。
ボトルキャップ自体の開口部分をボトル本体のクリップの形状に合わせ成型し（２）、結合させる。
【実施例】
【０００７】
【産業上の利用可能性】
【０００８】
【図面の簡単な説明】
【０００９】
【図１】本発明の側面図
【図２】本発明の断面図
【符号の説明】
１  クリップ状の部分
２  クリップの形状に合わせキャップを成型した部分
【図１】
2005145555.tif 000003
【図２】
2005145555.tif 000004
(57)【要約】      （修正有）【課題】従来ティッシュペーパーボックスとして売られているものは高価・不透明で耐久性・汎用性を欠くものであった。【解決手段】透明ポリプロピレンを素材とし、軽量・安価・耐熱・耐水・耐久に富み且つ燃やしても有毒ガスの発生が無く、リサイクルも容易とし、本体１と蓋２は一体形とし、蓋２は１ヵ所を蓋止め４でとめ、取り出し口３は大きめの菱形の穴のみとする。【選択図】図１
2005145556.tif 000002
【特許請求の範囲】
【請求項１】
ティッシュペーパーを収納し蓋ができる。水周り等あらゆる場所でも簡単にティッシュを取り出すことができ、残量確認もできる安価な透明ポリプロピレン製のティッシュボックス。色、模様を工夫することによりあらゆる場所にマッチする。
【請求項２】
本体と蓋は一体形とし、閉じられた蓋は１ヵ所を蓋止めでとめる。一体形のため生産性は向上する。
【請求項３】
取り出し口は複雑な造作は必要とせず、大き目の菱形の穴のみをあける。菱形の広角部はティッシュペーパーの取り出しを容易にし、狭角部は他のティッシュが連れて出ないよう抵抗作用を十分果たす。
【請求項４】
ティッシュペーパーのほかキッチンタオルをも収納することができる。またボックスをポケットティッシュサイズにすれば街頭配布のポケットティッシュを家庭内で有効使用することができる。
【発明の詳細な説明】
【技術分野】
【０００１】この発明は素材のポリプロピレンの滑らかな長所等を最大限に生かしたティシュボックスであり、蓋部の取り出し口は菱形をなし、広角部と狭角部が必要な１枚を確実に取り出すことを可能にする。また簡単な構成は生産性の向上を実現し、製品は透明性・耐久性・耐熱性を特徴とするものである。
【背景技術】
【０００２】従来のいわゆるティッシュボックスとして市販されているものは、生産性や透明性・耐久性・耐熱性等に欠ける。
【発明の開示】
【発明が解決しようとする課題】
【０００３】今までのティッシュボックスは不透明・高価で汎用ボックスとしては不適当であった。本発明は以上の欠点を全てなくすためになされたものである。
【課題を解決するための手段】
【０００４】ポリプロピレンを素材として使用することにより、軽量・安価・耐熱・耐水・耐久に富み且つ燃やしても有毒ガスの発生が無くリサイクルも容易なため、将来の地球環境を考える上でベストである。取り出し口の菱形は単純であるが有効である。
【発明の効果】
【０００５】通常のティッシュペーパーのほかキッチンタオルも収納することができる。またボックス自体が耐久性に富むことから、ティッシュメーカーは現在の外装箱を廃止しペーパーだけを簡易梱包でより安価に消費者に提供することが可能となる。ティッシユペーパー販売に革命をもたらす。小さめのボックスにすればポケットティッシュを収納できて家庭内で有効利用ができる。
【発明を実施するための最良の形態・実施例】
【０００６】本製品はポリプロピレン製の容器で、本体部（１）と蓋部（２）分かれる。蓋部はティッシを収納した時、１ヵ所を蓋止めで固定する。蓋部の取り出し口は大きめの菱形穴をあけるだけで効果十分である。
【図面の簡単な説明】
【０００７】【図１】本製品の斜視図である。
【符号の説明】
【０００８】  １  本体            透明  ２  蓋              透明  ３  取りだし口      菱形の穴  ４  蓋止め          １ヵ所  ５  模様            体裁として花柄等
【図１】
2005145556.tif 000003
(57)【要約】      （修正有）【課題】ペットボトル、紙パック容器を片手で取り扱いやすくする飲料用容器ホルダーを提供する。【解決手段】ペットボトル、紙パック容器が入る大きさの上部が開放された箱１に取っ手２を設け、箱内壁に固定すべり止め材５を張り付け、さらに、取っ手２を握ると箱内に挿入された容器を押さえつける押さえつけ用すべり止め材６を取り付けたことにより、注ぐ時の傾きにもずれ落ちなくすることを特徴とした。【選択図】図１
2005145557.tif 000002
【特許請求の範囲】
【請求項１】
ペットボトル、紙パック容器が入る大きさの上部が開放された箱に取っ手を設け、箱内にすべり止め材を張り付けたことを特徴とする飲料用容器ホルダー。
【請求項２】
前記記載の箱の取っ手に握りバーを内蔵し、握りバーを握ると箱内に挿入された容器を押さえつける請求項１の飲料用容器ホルダー。
【発明の詳細な説明】
【技術分野】
【０００１】  本発明はペットボトル、紙パック容器を片手で取り扱いやすくする飲料用容器ホルダーに関するものである。
【背景技術】
【０００２】２Ｌ，３Ｌのペットボトル、紙パック容器は片手では持ちにくく、内容量がいっぱいの時は重たく、片手で持つにはけっこうな握力が必要で、子供、老人又は、片手が不自由な時などは扱いにくく、小さなコップなどに注ぐ時に、両手で持って注ぐとコップの口に届くまでにこぼしたりしていた。
【発明の開示】
【発明が解決しようとする課題】
【０００３】本発明はこのような問題に鑑み、片手で持ちやすく、注ぎやすくする飲料用容器ホルダーを提供するものである。
【課題を解決するための手段】
【０００４】ペットボトル、紙パック容器が入る大きさの上部が開放された箱に取っ手を設け、箱内壁にすべり止め材を張り付けた。さらに、取っ手を握ると箱内に挿入された容器を押さえつけるすべり止め材を取り付けたことにより、注ぐ時の傾きにもずれ落ちないようにした。
【発明の効果】
【０００５】残量の多い重たいペットボトル、紙パック容器を片手で持ち楽に注ぎやすくなり、コップなどは反対の片手で持ち、容器の注ぎ口に近づけることができるのでこぼすことがない。さらに、容器を押さえつける力も、傾き角度や残量の自重で押さえつけるので握る力を入れる必要もない。
又、底板両面にもすべり止め材を張り付けているので、丸型のペットボトルなどのキャップも片手で開閉がしやすくなる。
【発明を実施するための最良の形態】
【０００６】（イ）２Ｌ，３Ｌのペットボトル、紙パック容器が入る大きさの上部が開放された箱（１）に取っ手（２）を設ける。
（ロ）箱内部の壁、底板両面に固定すべり止め材（５）を張り付ける。
（ハ）取っ手（２）に握りバー（３）を内蔵し、握りバー回転軸（４）を軸にした握りバー（３）に連動する押さえつけ用すべり止め材（６）を箱内に取り付ける。
本発明は以上の構成よりなる飲料用容器ホルダーである。
【実施例】
【０００７】図１は本発明の断面図である。これを使用するときは図２のように、挿入されたペットボトル容器（７）が注ぐ時の傾きに固定すべり止め材（５）でずれ落ちるのを防ぎ、さらに取っ手（２）の握りバー（３）を握ることにより、押さえつけ用すべり止め材（６）が挿入されたペットボトル容器（７）を押さえつけて、なお傾けてもずれ落ちなくした。
【図面の簡単な説明】
【０００８】
【図１】本発明の断面図
【図２】実施方法を示した説明図
【図３】本発明の斜視図
【符号の説明】
【０００９】１    ペットボトル、紙パック容器が入る大きさの上部が開放された箱
２    取っ手
３    握りバー
４    握りバー回転軸
５    固定すべり止め材
６    押さえつけ用すべり止め材
７    ペットボトル容器
【図１】
2005145557.tif 000003
【図２】
2005145557.tif 000004
【図３】
2005145557.tif 000005
(57)【要約】【課題】  ビール抽出機から樽生ビールを容器に注入する際に発生する粗い泡を、容器の外部を濡らさずに素早く除去する機器。【解決手段】  ビール抽出機の抽出ノズルに成型した吸い込み口を有する吸引機器により、ビール注入時に発生した粗い泡をビールの注入と同時に吸引して除去させる。また、自動式のビール抽出機においては、容器を垂直方向に移動させて前記吸い込み口から除去する。【選択図】図１
2005145565.tif 000002
【特許請求の範囲】
【請求項１】
吸引機器であって、ビール抽出機から液体を容器に注入する際に、液体が注入される容器の上部に配置される吸い込み口から泡を吸引すること特徴とする吸引機器。
【請求項２】
吸引機器であって、液体を注入する容器の内径に合わせた形状で、多数の穴を設けた吸い込み面を有する吸い込み口から泡を吸引することを特徴とする吸引機器。
【請求項３】
請求項１記載の吸引機器であって、ビール抽出機の抽出ノズルに取り付けた吸い込み口から泡を吸引することを特徴とする吸引機器。
【請求項４】
請求項１記載の吸引機器であって、ビール抽出機の抽出コックと一体成型された吸い込み口から泡を吸引することを特徴とする吸引機器。
【請求項５】
自動式のビール抽出機であって、容器を置く台の部分が垂直方向に移動する機能を有することを特徴とする自動式のビール抽出機。
【発明の詳細な説明】
【技術分野】
【０００１】  本発明は、ビール抽出機から液体を容器に注入する際に発生する粗い泡を吸引して除去する機器に関するものである。
【背景技術】
【０００２】  樽生ビールを抽出機からジョッキ等の容器に注入する際、自然に発生する泡はきめが粗く品質が低いことは知られており、一部の飲食店ではスプーン等でかき出す方法や、粗い泡が上面に浮かぶ原理を利用して泡を余分に注入し、オーバーフローさせて除去する方法がとられている。しかし、よりスピーディーであるオーバーフローさせる方法においても、容器の外部や受け皿等が濡れて拭き取る手間がかかるという欠点があり、また、樽生ビールの提供は秒単位のスピードが要求される作業であることから、品質向上とスピードアップの両立が困難であるという問題がある。
【発明の開示】
【発明が解決しようとする課題】
【０００３】  本発明は従来の問題を解決しようとするものであり、ビール抽出機から注入時に発生する粗い泡を、手間をかけずに素早く除去するための機器である。
【課題を解決するための手段】
【０００４】  請求項１記載の発明は、吸引機器であって、ビール抽出機から液体を容器に注入する際に、液体が注入される容器の上部に配置される吸い込み口から泡を吸引すること特徴とする吸引機器である。【０００５】  請求項２記載の発明は、吸引機器であって、液体を注入する容器の内径に合わせた形状で、多数の穴を設けた吸い込み面を有する吸い込み口から泡を吸引することを特徴とする吸引機器である。前記本発明の吸い込み面の形状は、容器の内部で垂直移動の障害にならない程度に広く成型されたものである。【０００６】  請求項３記載の発明は、請求項１記載の吸引機器であって、ビール抽出機の抽出ノズルに取り付けた吸い込み口から泡を吸引することを特徴とする吸引機器であり、着脱可能な吸い込み口が提供される。【０００７】  請求項４記載の発明は、請求項１記載の吸引機器であって、ビール抽出機の抽出コックと一体成型された吸い込み口から泡を吸引することを特徴とする吸引機器である。【０００８】  請求項５記載の発明は、自動式のビール抽出機であって、容器を置く台の部分が垂直方向に移動する機能を有することを特徴とする自動式のビール抽出機である。
【発明の効果】
【０００９】  請求項１記載の発明により、樽生ビールの注入作業と同時に容器の内部に挿入される吸い込み口から粗い泡を吸引して除去することが可能になる。なお、請求項１記載の発明において、容器の内部に挿入されずに、容器から溢れそうな泡を吸引できる箇所に配置される吸い込み口も本発明に含まれるものとする。【００１０】  請求項２記載の発明により、吸引ノズルでは吸引が困難である表面に浮かぶ大きな泡を素早く吸引して除去することが可能になる。【００１１】  請求項３及び請求項４記載の発明により、吸い込み口が固定されて安定し、さらに請求項２記載の吸い込み面を設けることで、樽生ビールの注入作業と同時に表面に浮かぶ大きな泡を吸引して除去することが可能になる。【００１２】  また、従来の自動式の抽出機に請求項１記載の吸引機器を取り付けた場合、容器が垂直状態で吸い込み口に近づくことができないため、表面に浮かぶ大きな泡を吸引することが困難であるが、請求項５記載の発明により、吸引して除去することが可能になる。【００１３】  すなわち本発明の機器により、樽生ビールの注入時に発生する粗い泡を、容器の外部を濡らさずに素早く除去することが可能になり、飲食店で提供される樽生ビールの品質を高められる効果がある。
【発明の実施するための最良の形態】
【００１４】  ビール抽出機の抽出コック１の抽出ノズル２に、直径６ｃｍ程度の吸い込み面４を設けた吸い込み口３を成型する。吸い込み面４は水平に成型し、直径１ｍｍ程度の穴を６０個程度設け、吸い込み面４の下部に抽出ノズル２が突出する形状に成型する。吸い込み口３は、垂直にした容器の内部に収まり、注入時に傾けられる容器の内壁に抽出ノズル２の先端を当てることができる位置に成型することで注入動作の障害を抑えられる。また、吸い込み口３は、容器の深部の泡を吸引できるように抽出ノズル２の先端部近くに成型する。吸い込み面４は掃除のために着脱できるように成型する。泡の抽出ノズルが別に成型された抽出コックの場合は、吸い込み口３の内部に泡の抽出ノズルを成型させる。吸い込み口３と吸引機器を管５で連結させる。ビールの注入と同時に吸引機器を作動させ、ビールを吸引しないように粗い泡を吸引する。残りの粗い泡は、泡の注入時に吸引する。自動式のビール抽出機の場合、容器の台が垂直方向に移動する機能を持たせ、容器６を垂直状態で吸い込み口３まで移動させ、粗い泡を吸引して除去する。
【図面の簡単な説明】
【００１５】
【図１】請求項２記載の吸い込み面４を設けた請求項４記載の吸い込み口３が成型された請求項４記載の抽出コック１とビールを注入する際の容器６の状態を示した断面図である。
【図２】請求項２記載の吸い込み面４を設けた請求項４記載の吸い込み口３が成型された請求項４記載の抽出コック１と泡を注入する際の容器６の状態を示した断面図である。
【符号の説明】
【００１６】１  請求項４記載の抽出コック
２  抽出ノズル
３  請求項４記載の吸い込み口
４  請求項２記載の吸い込み面
５  吸引機器と吸い込み口を連結する管
６  液体が注入される容器
【図１】
2005145565.tif 000003
【図２】
2005145565.tif 000004
(57)【要約】      （修正有）【課題】  風等のある野外の場合や点火手段の持ち合わせが無い場合でも、容易且つ着実に線香束を点火させることが可能な点火手段付き線香束の提供。【解決手段】  線香束の先端部に端面前面に延焼剤を配設し、延焼剤をより燃えやすくする。延焼剤の数ヶ所に着火剤を付着させ、線香束収納箱の内側の側薬（スリの部分）で発火させる。又、安全の為に固定テープで箱から線香束がずれないようにし、線香箱の独立した箱のふたを開いて線香束を引き出す事で発火させる。万が一にも発火しない場合でも外側のスリの部分でマッチをつける方法で着火すれば良い。【選択図】  図３
2005145943.tif 000002
【特許請求の範囲】
【請求項１】
多本数の線香束の先端部分に延焼剤を配設したものを箱の中に３束を入れ、箱の内部に着火剤を付着させ、１束ずつ独立させた束を抜きその摩擦により発火し、延焼剤が安全に燃える事を特徴とする着火手段付き線香束。
【請求項２】
線香の先端を保護する箱及び線香全部をポリ塩化ビニリデンなどで包み込み、セロハンテープなどで筒と線香の間に取り付けそれを外さないと線香束は動かない事を特徴とする着火手段付き線香束。
【請求項３】
３束入れ線香箱から１束を抜くには、その束ごとに独立したふたを開け、１束を抜く事でその束だけに発火する。もう１束を使用する時は、又ふたを開け同じ要領で束を抜くと発火する事を特徴とする着火手段付き線香束。
【発明の詳細な説明】
【技術分野】
【０００１】  本願発明は、墓前用に供する約５０本から７０本に束ねた線香束に関し、線香束の先端部に延焼剤を付着し、線香束をそれぞれ独立した１束の出口を開き、抜く摩擦で簡易容易に着火させる利便性を高めた点火手段付き線香束に関する。
【背景技術】
【０００２】  墓地などに供える線香は、一般的に大量に使用するために線香束にそのままいっぺんに点火する場合、マッチ、ライターなどで紙、新聞紙、杉の葉などを燃やし、そこに線香束を近づけて火を着けることが通常行われてきた。墓地は野外であり、風などの影響で従来の着火方法は頓雑な作業になり易く、火傷の危険、付け火が無いなどの場合があり、線香束の点火に困惑する事が多々あった。
【発明の開示】
【発明が解決しようとする課題】
【０００３】  従来の線香束は、発火手段を線香束の他に個別に用意しなければ点火が出来ないと言う欠点があった。本願発明は、箱の中の線香束を引くだけの作業などで容易に着火できる手段付き線香束を提供する。
【課題を解決するための手段】
【０００４】  上記目的を実現する為、本願発明は以下の構成を採っている。図１に示すように、多本数の線香束の先端約１ｃｍに延焼剤（過塩素酸アンモニウム、モグサ、固形燃料、ロウ、油紙、レーヨン、綿、炭、塩素酸カリウム、二酸化マンガン、硫黄）などを布し、図２の箱の内側に側薬などの赤燐、硫化アンチモンを発火剤として敷設し、もし着火しない場合外側のスリで成ることを特徴としている。
【発明の効果】
【０００５】  本願発明は、着火手段付きである為、マッチ、ライターなどの着火物の持ち合わせが無くても容易且つ着実に箱から線香束を抜くだけの作業で線香に着火できる物で線香の革命であり、その効果は使用する者への貢献度は顕著な物である。
【発明を実施するための最良の形態】
【０００６】  本願発明に係る実施形態例に付いては、図面にて詳細に説明する。
【実施例】
【０００７】  図３で示すように５０本〜７０本の線香束の先端に延焼剤を付接し、図２の内側のスリで線香束を引く事で発火を容易にさせ、箱からは１束づつ独立させる。【０００８】  着火剤は、図３例えば頭薬などの塩素酸カリウム、二酸化マンガン、硫黄などと同様の物、発火剤は、図２例えば側薬などの赤燐、硫化アンチモンなどと同様の物を使用、摩擦により発火する為頭薬は容易に発火させるためには、線香束より少しはみ出した状態が好ましい。【０００９】  図１のように着火剤と発火剤との不用意な接触発火を防止する為に、線香束全体をポリ塩化ビニリデンなどで包み、箱の界に解除不可能な固定テープを取り付けている。図４のように箱のふたを開け引くだけの作業で容易且つ着実に着火する事ができる。【００１０】  図３のように着火剤を布し、発火を円滑に端面全域に点火する事が出来る。更に、図１のように固定テープで密封する事により着火剤、発火剤、延焼剤の湿気防止に寄与する。
【産業上の利用可能性】
【００１１】  以上、本願発明は従来の着火剤つき線香束と比較しても安全性、利便性、着火性のすべてに於いて優れており、使用者への貢献度は顕著なものである。
【図面の簡単な説明】
【図１】  立体の斜視図である。
【図２】  立体の切断図である。
【図３】  線香が入った状態の立体切断図である。
【図４】  箱から線香を抜いた状態図である。
【符号の説明】
▲１▼    線香束
▲２▼    独立した箱のふた
▲３▼    内側のスリ
▲４▼    外側のスリ
▲５▼    固定テープ
▲６▼    着火剤
【図１】
2005145943.tif 000003
【図２】
2005145943.tif 000004
【図３】
2005145943.tif 000005
【図４】
2005145943.tif 000006
(57)【要約】【課題】従来の折りたたみ自転車では、車体を折るなどの幾つものアクションを必要とし、時間がかかっていました。従来の折りたたみ方は折りたたんだ車体が極端に低く電車などで邪魔になってしまうなどの問題点がありました。そのため朝の通勤、通学など急いでいる時でも普通の自転車と同じように自転車置場に置いて電車に乗るなど折りたたみ自転車の意味をなしていないなどの問題点が挙げられました【解決手段】折りたたみ方をシンプルなワンアクションにし素早い折りたたみが可能となりました。タイヤを上下に配置することにより幅は約タイヤ一つ分、高さは約わきに挟める高さと持ち運びにとても持ちやすい形にしてあります。そのため朝の通勤、通学などでも素早く折りたため、電車内で邪魔にならずに持ち込むことができるようになりました。【選択図】図１
2005145416.tif 000002
【特許請求の範囲】
【請求項１】
自転車を降り、ハンドルとサドルを持ち上下に押すだけで自転車の折りたたみができ、かさばらず、通勤通学に適した今までに無い画期的な折りたたみ自転車。
【請求項２】
主に通勤通学に、素早い折りたたみ、素早い展開ができ、朝の忙しい時などに適し、電車などで極力かさばらない形状の請求項１の折りたたみ自転車。
【発明の詳細な説明】
【技術分野】
【０００１】本発明は、今までにないワンアクションにコンパクトで邪魔にならず、時間の無い時など瞬時に折りたため通勤、通学に適した折りたたみ自転車の発明。
【背景技術】
【０００２】従来の折りたたみ自転車では、車体を折るなどの幾つものアクションを必要とし、手間がかかっていました。【０００３】従来の折りたたみ自転車では、タイヤを並列に並べるなど、直列に置き、折りたたんだ車体が極端に低く電車などで邪魔になってしまう。【０００４】そのため朝の通勤、通学など急いでいる時でも普通の自転車と同じように自転車置場に置いて電車に乗るなど折りたたみ自転車の意味をなしていないなどの記上の欠点が幾つか見られる。
【発明の開示】
【発明が解決しようとする課題】
【０００６】以上述べた従来の折りたたみ自転車では折りたたみが複雑、電車などでの持ち運びに邪魔になるなどの問題があった。【０００７】本発明では、このように従来の有していた問題を解決しようとするものであり、折りたたむ為のアクションを一度の動作だけで素早く行えるものにし、主に電車に乗る時などスムーズにワンアクションで済みます。
そのうえ電車の中で横に広がらず縦に長いことから脇の下に固定でき、バックと同じほどのスペースしかとらず周りに迷惑を掛けることが極端に少なくなると推測できます。本発明はこれらの問題を最小限にしより快適にそしてシンプルに改良するものです。
【課題を解決する為の手段】
【０００８】フレームの折り方の解決方法は次の通りです。
図１による折りたたみのアクションはハンドルとサドルを持ち上下に押すのみです。
【０００９】タイヤのしまい方の解決手段は上記の動作をすることにより図２の形になり完了です。
【００１０】図１の動作のよりハンドルが下に下がり、サドルがおのずと上に上がり、自然と後輪が持ち上がり固定されワンタッチで図２の形になり、折りたたむことが可能となります。
【００１１】電車内などで邪魔になるの解決作用は次の通りです。
折りたたみ作業を行い図２の形になると幅は少なくなり、高さは丁度脇にはさんで固定でくる高さになります。
これによりまわりに邪魔になりません。
【発明を実施するための最良の形態】
【００１２】以下の本発明の実施の形態を図に基づいて説明する【００１３】図１において１を押し，２を引くことにより一つの動作で図２にすることができます。【００１４】この際  ３のタイヤが４，５に固定されます。【００１５】図２において６を使いハンドルとサドルを固定します。【００１６】このときブレーキワイヤーは７の形状の器具により曲げられます。図４を参照。【００１７】２のサドルは持ち運びに便利な様に後ろに手さげ８があります。
【発明の効果】
【００１８】上記のように本発明のワンタッチ  折りたたみ自転車は一つの動作で簡単に折りたためることができ  通勤、通学などの時間が無いときなど急ぐときに適しております。
【００１９】今までに無いタイプの折りたたみ方をしているため電車などで周りに迷惑になりにくく、電車に手軽に持ち込め朝などの急ぎの時には最適です。
何より一つの動作でここまでコンパクトに折りたためる方法は、今までにはありませんでした。
【００２０】この折りたたみ自転車をより安全に取り扱っていただく為の安全装置が施されております。
【００２１】まず図３において６を見ていただきます。
車体を折りたたんだときに勝手に展開してしまわない様に折りたたんだ後に必ずロックを掛けていただきます。
【図面の簡単な説明】
【００２２】
【図１】  折りたたみ自転車  使用時の図
【図２】  折りたたみ自転車  折りたたみ時の図
【図３】  安全ロック車体  拡大図
【図４】  ブレーキワイヤーを折れないように曲げる器具図
【符号の説明】
【００２３】                  １  ハンドル
２  サドル
３  後輪タイヤ
４  車体タイヤ固定フレーム１
５  車体タイヤ固定フレーム２
６  かばん掛け兼ハンドルフレー厶とサドルフレームを固定するバンド
７  ブレーキワイヤーを折れないように曲げる金具
８  サドルを持ちやすくする取っ手
【図１】
2005145416.tif 000003
【図２】
2005145416.tif 000004
【図３】
2005145416.tif 000005
【図４】
2005145416.tif 000006